(57)【特許請求の範囲】
【請求項１】
受信装置に対する送信データをデータリソース領域にマッピングし、制御信号を前記データリソース領域以外の所定のリソース領域にマッピングして、前記受信装置へ送信する送信装置であって、
前記データリソース領域のための割り当て制御信号を生成する生成手段と、
複数のリソースブロック（ＲＢ）から構成されるリソースブロックグループ（ＲＢＧ）において、前記データリソース領域と前記割り当て制御信号をマッピングする制御リソース領域とを前記所定のリソース領域内に設定する設定手段と、
前記設定されたデータリソース領域に前記送信データをマッピングし、前記制御リソース領域に前記割り当て制御信号をマッピングするマッピング手段と、
を具備し、
前記割り当て制御信号は、下り回線のデータリソース領域を割り当てる下り回線割り当て制御信号及び上り回線のデータリソース領域を割り当てる上り回線割り当て制御信号であり、
前記設定手段は、前記所定のリソース領域が設定されたＲＢに対応付けられた少なくとも１つのＲＢを、前記データリソース領域として設定し、
前記下り回線割り当て制御信号をマッピングする前記制御リソース領域を設定したＲＢに付された番号よりも、大きい番号が付されたＲＢのみ、前記上り回線割当て制御信号の検出/未検出に関わらず、前記データリソース領域として設定し、
同一のＲＢＧに含まれる複数のＲＥが前記下り回線割り当て制御信号及び前記上り回線割り当て制御信号をマッピングする制御リソース領域として設定される場合、前記下り回線割り当て制御信号をマッピングする制御リソース領域が設定されたＲＢに付された第一番号以下の第二番号に対応するＲＢが、前記上り回線割り当て制御信号をマッピングする制御リソース領域として設定される、
送信装置。
【請求項２】
前記データリソース領域として設定されるＲＢは、前記下り回線割り当て制御信号をマッピングする前記制御リソース領域を設定したＲＢに付された番号に対し、後続する番号が付されたＲＢを含む、
請求項１に記載の送信装置。
【請求項３】
前記ＲＢＧには、前記割り当て制御信号のサーチスペースが設定されている、
請求項１に記載の送信装置。
【請求項４】
前記ＲＢＧは、３個以上のＲＢから構成される、
請求項１に記載の送信装置。
【請求項５】
前記送信装置は、前記制御信号及び前記データ信号を複数のアンテナポートを用いて送信し、
前記割り当て制御信号は、下り回線のデータリソース領域を割り当てる下り回線割り当て制御信号及び上り回線のデータリソース領域を割り当てる上り回線割り当て制御信号であり、
前記設定手段は、
前記下り回線割り当て制御信号及び前記上り回線割り当て制御信号が同じ第１のアンテナポートから送信される場合、
前記第１のアンテナポートでは、前記下り回線割り当て制御信号をマッピングする前記制御リソース領域を設定したＲＢに対応付けられた少なくとも１つのＲＢを、前記データリソース領域として設定し、
前記第１のアンテナポートと異なる第２のアンテナポートでは、前記ＲＢＧを構成する全てのＲＢを、前記データリソースとして設定する、
請求項１に記載の送信装置。
【請求項６】
前記送信装置は、前記制御信号及び前記データ信号を３個以上のアンテナポートを用いて送信し、
前記割り当て制御信号は、下り回線のデータリソース領域を割り当てる下り回線割り当て制御信号及び上り回線のデータリソース領域を割り当てる上り回線割り当て制御信号であり、
前記設定手段は、
前記下り回線割り当て制御信号が第１のアンテナポートから送信され、且つ、前記上り回線割り当て制御信号が前記第１のアンテナポートと異なる第２のアンテナポートから送信される場合、
前記第１のアンテナポート及び前記第２のアンテナポートでは、前記下り回線割り当て制御信号をマッピングする前記制御リソース領域を設定したＲＢに対応付けられた少なくとも１つのＲＢを、前記データリソース領域として設定し、
前記第１のアンテナポート及び前記第２のアンテナポートと異なる第３のアンテナポートでは、前記ＲＢＧを構成する全てのＲＢを、前記データリソースとして設定する、
請求項１に記載の送信装置。
【請求項７】
前記第２のアンテナポートに付されたポート番号は、前記第１のアンテナポートに付されたポート番号以下である、
請求項６に記載の送信装置。
【請求項８】
前記所定のリソース領域は、制御チャネル及びデータチャネルのいずれにも使用可能なリソース領域である、
請求項１に記載の送信装置。
【請求項９】
データリソース領域にマッピングされて送信装置から送信されたデータを受信し、前記データリソース以外の所定のリソース領域において前記送信装置から送信された制御信号を含む受信信号を受信する受信装置であって、
前記受信信号に含まれる、前記データリソース領域のための割り当て制御信号を検出する検出手段と、
前記割り当て制御信号が検出されたリソースブロック（ＲＢ）を含む複数のＲＢから構成されるリソースブロックグループ（ＲＢＧ）における前記データリソース領域に対応するデータ抽出対象領域を特定する特定手段と、
前記特定されたデータ抽出対象領域内のデータ信号を前記受信信号から抽出する抽出手段と、
を具備し、
前記割り当て制御信号は、下り回線のデータリソース領域を割り当てる下り回線割り当て制御信号及び上り回線のデータリソース領域を割り当てる上り回線割り当て制御信号であり、
前記データ抽出対象領域は、前記割り当て制御信号が検出されたＲＢに対応付けられたＲＢに対応し、
前記データ抽出対象領域は、前記上り回線割当て制御信号の検出/未検出に関わらず、前記下り回線割り当て制御信号が検出されたＲＢに付された番号よりも、大きい番号が付されたＲＢのみに対応し、
前記下り回線割り当て制御信号及び前記上り回線割り当て制御信号がマッピングされた制御リソースとして設定された複数のＲＥが同一のＲＢＧに含まれる場合、前記上り回線割り当て制御信号がマッピングされた制御リソース抽出対象領域は、前記下り回線割り当て制御信号が検出されたＲＢに付された第一番号以下の第二番号に対応するＲＢである、
受信装置。
【請求項１０】
前記データリソース領域として設定されるＲＢは、前記下り回線割り当て制御信号をマッピングする前記制御リソース領域を設定したＲＢに付された番号に対し、後続する番号が付されたＲＢを含む、
請求項９に記載の受信装置。
【請求項１１】
前記ＲＢＧには、前記割り当て制御信号のサーチスペースが設定されている、
請求項９に記載の受信装置。
【請求項１２】
前記ＲＢＧは、３個以上のＲＢから構成される、
請求項９に記載の受信装置。
【請求項１３】
前記受信装置は、前記制御信号及び前記データ信号を複数のアンテナポートを用いて受信し、
前記割り当て制御信号は、下り回線のデータリソース領域を割り当てる下り回線割り当て制御信号及び上り回線のデータリソース領域を割り当てる上り回線割り当て制御信号であり、
前記データ抽出対象領域は、
前記下り回線割り当て制御信号及び前記上り回線割り当て制御信号が同じ第１のアンテナポートにおいて受信される場合、
前記第１のアンテナポートでは、前記下り回線割り当て制御信号が検出されたＲＢに対応付けられたＲＢに対応し、
前記第１のアンテナポートと異なる第２のアンテナポートでは、前記ＲＢＧを構成する全てのＲＢに対応する、
請求項９に記載の受信装置。
【請求項１４】
前記受信装置は、前記制御信号及び前記データ信号を複数のアンテナポートを用いて受信し、
前記割り当て制御信号は、下り回線のデータリソース領域を割り当てる下り回線割り当て制御信号及び上り回線のデータリソース領域を割り当てる上り回線割り当て制御信号であり、
前記データ抽出対象領域は、
前記下り回線割り当て制御信号が第１のアンテナポートにおいて受信され、且つ、前記上り回線割り当て制御信号が前記第１のアンテナポートと異なる第２のアンテナポートにおいて受信される場合、
前記第１のアンテナポート及び前記第２のアンテナポートでは、前記下り回線割り当て制御信号が検出されたＲＢに対応付けられたＲＢに対応し、
前記第１のアンテナポート及び前記第２のアンテナポートと異なる第３のアンテナポートでは、前記ＲＢＧを構成する全てのＲＢに対応する、
請求項９に記載の受信装置。
【請求項１５】
前記第２のアンテナポートに付されたポート番号は、前記第１のアンテナポートに付されたポート番号以下である、
請求項１４に記載の受信装置。
【請求項１６】
前記所定のリソース領域は、制御チャネル及びデータチャネルのいずれにも使用可能なリソース領域である、
請求項９に記載の受信装置。
【請求項１７】
受信装置に対する送信データをデータリソース領域にマッピングし、制御信号を前記データリソース領域以外の所定のリソース領域にマッピングして、前記受信装置へ送信する送信方法であって、
前記データリソース領域のための割り当て制御信号を生成する生成ステップと、
複数のリソースブロック（ＲＢ）から構成されるリソースブロックグループ（ＲＢＧ）において、前記データリソース領域と前記割り当て制御信号をマッピングする制御リソース領域とを前記所定のリソース領域内に設定する設定ステップと、
前記設定されたデータリソース領域に前記送信データをマッピングし、前記制御リソース領域に前記割り当て制御信号をマッピングするマッピングステップと、
を含み、
前記割り当て制御信号は、下り回線のデータリソース領域を割り当てる下り回線割り当て制御信号及び上り回線のデータリソース領域を割り当てる上り回線割り当て制御信号であり、
前記所定のリソース領域が設定されたＲＢに対応付けられた少なくとも１つのＲＢが、前記データリソース領域として設定され、
前記下り回線割り当て制御信号をマッピングする前記制御リソース領域を設定したＲＢに付された番号よりも、大きい番号が付されたＲＢのみ、前記上り回線割当て制御信号の検出/未検出に関わらず、前記データリソース領域として設定され、
同一のＲＢＧに含まれる複数のＲＥが前記下り回線割り当て制御信号及び前記上り回線割り当て制御信号をマッピングする制御リソース領域として設定される場合、前記下り回線割り当て制御信号をマッピングする制御リソース領域が設定されたＲＢに付された第一番号以下の第二番号に対応するＲＢが、前記上り回線割り当て制御信号をマッピングする制御リソース領域として設定される、
送信方法。
【請求項１８】
データリソース領域にマッピングされて送信装置から送信されたデータを受信し、前記データリソース以外の所定のリソース領域において前記送信装置から送信された制御信号を含む受信信号を受信する受信方法であって、
前記受信信号に含まれる、前記データリソース領域のための割り当て制御信号を検出する検出ステップと、
前記割り当て制御信号が検出されたリソースブロック（ＲＢ）を含むＭ（Ｍは２以上の自然数）個のＲＢから構成されるリソースブロックグループ（ＲＢＧ）における前記データリソース領域に対応するデータ抽出対象領域を特定する特定ステップと、
前記特定されたデータ抽出対象領域内のデータ信号を前記受信信号から抽出する抽出ステップと、
を含み、
前記割り当て制御信号は、下り回線のデータリソース領域を割り当てる下り回線割り当て制御信号及び上り回線のデータリソース領域を割り当てる上り回線割り当て制御信号であり、
前記データ抽出対象領域は、前記割り当て制御信号が検出されたＲＢに対応付けられたＲＢに対応し、
前記データ抽出対象領域は、前記上り回線割当て制御信号の検出/未検出に関わらず、前記下り回線割り当て制御信号が検出されたＲＢに付された番号よりも、大きい番号が付されたＲＢのみに対応し、
前記下り回線割り当て制御信号及び前記上り回線割り当て制御信号がマッピングされた制御リソースとして設定された複数のＲＥが同一のＲＢＧに含まれる場合、前記上り回線割り当て制御信号がマッピングされた制御リソース抽出対象領域は、前記下り回線割り当て制御信号が検出されたＲＢに付された第一番号以下の第二番号に対応するＲＢである、
受信方法。
【発明の詳細な説明】
【技術分野】
【０００１】
本発明は、送信装置、受信装置、送信方法、及び受信方法に関する。
【背景技術】
【０００２】
近年、セルラ移動体通信システムにおいては、情報のマルチメディア化に伴い、音声データのみならず、静止画像データ及び動画像データ等の大容量データを伝送することが一般化しつつある。大容量データの伝送を実現するために、高周波の無線帯域を利用して高伝送レートを実現する技術に関する検討が盛んに行われている。【０００３】
しかし、高周波の無線帯域を利用する場合には、近距離では高伝送レートの通信が期待できる一方、遠距離になるに従って伝送距離による減衰が大きくなる。よって、高周波の無線帯域を利用した移動体通信システムを実際に運用する場合には、無線通信基地局装置（以下、「基地局」と省略する）のカバーエリアが小さくなるため、より多くの基地局を設置する必要がある。基地局の設置には相応のコストがかかる。従って、基地局数の増加を抑制しつつ、高周波の無線帯域を利用した通信サービスを実現するための技術が強く求められている。【０００４】
このような要求に対して、各基地局のカバーエリアを拡大させるために、基地局と無線通信移動局装置（以下、「移動局」と省略する）との間に、無線通信中継局装置（以下、「中継局」と省略する）を設置し、基地局と移動局との間の通信を中継局を介して行う、中継技術が検討されている。中継（Relay）技術を用いると、基地局と直接通信できない移動局も、中継局を介して通信することができる。【０００５】
上記した中継技術の導入が検討されているLTE-A（Long Term Evolution Advanced）システムに対しては、LTE（Long Term Evolution）からのスムーズな移行及びLTEとの共存の観点から、LTEとの互換性を維持することが要求されている。そのため、Relay技術に関しても、LTEとの相互互換性が求められている。【０００６】
図１には、LTEシステム及びLTE-Aシステムにおいて、制御信号及びデータを割り当てたフレームの一例が示されている。【０００７】
LTEシステムでは、基地局から移動局へ送信される下り回線（DL:DownLink）制御信号は、例えばPDCCH（Physical Downlink Control CHannel）等の下り回線制御チャネルによって送信される。LTEでは、DLのデータ割り当てを指示するDL grant(DL assignmentとも呼ばれる)、及び、上り回線（UL:UpLink）のデータ割り当てを指示するUL grantが、PDCCHによって送信される。DL grantによって、このDL grantが送信されたサブフレーム内のリソースが移動局に対して割り当てられたことが通知される。一方、UL grantに関しては、FDDシステムでは、UL grantによって、このUL grantが送信されたサブフレームより４サブフレーム後の対象サブフレーム内のリソースが、移動局に対して割り当てられたことが通知される。また、TDDシステムでは、UL grantによって、このUL grantが送信されたサブフレームより４サブフレーム以上後の対象サブフレーム内のリソースが、移動局に対して割り当てられたことが通知される。TDDシステムでは、移動局に対する割当対象サブフレームとして、UL grantが送信されたサブフレームのいくつ後のサブフレームが割り当てられるかは、上り回線及び下り回線が時分割されるパターン（以下、「UL/DLコンフィグレーションパターン」）に応じて定められる。ただし、どのUL/DLコンフィグレーションパターンにおいても、ULサブフレームは、UL grantが送信されたサブフレームの４サブフレーム以上後のサブフレームである。【０００８】
LTE-Aシステムでは、基地局だけでなく中継局も移動局へサブフレームの先頭部分のPDCCH領域で制御信号を送信する。中継局に着目すると、移動局へ下り回線制御信号を送信しなければならないので、中継局は、制御信号を移動局へ送信した後に受信処理へ切り替えることにより、基地局から送信された信号の受信に備える。しかしながら、中継局が下り回線制御信号を移動局へ送信しているタイミングで基地局も中継局用の下り回線制御信号を送信しているので、中継局は、基地局から送信された下り回線制御信号を受信することができない。このような不都合を回避するために、LTE-Aでは、データ領域に、中継局用の下り回線制御信号を配置する領域（中継局向けR-PDCCH（Relay用PDCCH）領域）を設けることが検討されている。このR-PDCCHにも、PDCCHと同様に、DL grant及びUL grantが配置されることが検討されている。さらに、R-PDCCHでは、図１に示されるように、DL grantを1st slotに配置し、UL grantを2nd slotに配置することが検討されている（非特許文献１参照）。DL grantを1st slotのみに配置することで、DL grantの復号遅延が短くなり、中継局はDLデータに対するＡＣＫ／ＮＡＣＫの送信(FDDでは、DL grantの受信から４サブフレーム後に送信される)に備えることができる。このようにして基地局からR-PDCCHを用いて送信された下り回線制御信号を、中継局は、基地局からhigher layer signalingによって指示されたリソース領域（つまり、「サーチスペース」）内でブラインド復号することにより、自局宛の下り回線制御信号を見つける。【０００９】
ここで、R-PDCCHに対応するサーチスペースは、上述の通り、higher layer signalingによって、基地局から中継局に通知される。R-PDCCHに対応するサーチスペースを通知する方法としては、（１）PRB（Physical Resource Block）ペアを１単位として通知する方法、及び、（２）RBG(Resource Block Group)を１単位として通知する方法の両方が考えられる。PRB（Physical Resource Block）ペアは、第１スロット及び第２スロットのPRBを合わせた集合を意味するのに対して、PRBは、第１スロット及び第２スロットのPRBのそれぞれを意味する。以下では、PRBペアを単にPRBと呼ぶことがある。また、リソースブロックグループ（RBG）とは、複数のPRBが纏めて割り当てられる場合に使用される単位である。また、RBGのサイズは、通信システムのバンド幅に基づいて定められている。【００１０】
また、R-PDCCHは、アグリゲーションレベルとしてレベル１、２、４、８の４つのレベルを有する（例えば、非特許文献１参照）。そして、レベル１、２、４、８は、６、６、２、２種類のマッピング候補位置をそれぞれ有する。ここで、マッピング候補位置とは、制御信号がマッピングされる領域の候補である。１つの端末に対して１つのアグリゲーションレベルが設定されると、そのアグリゲーションレベルが有する複数のマッピング候補位置の内の１つに、制御信号が実際にマッピングされる。図２は、R-PDCCHに対応するサーチスペースの一例を示す図である。各楕円は、各アグリゲーションレベルのサーチスペースを示している。各アグリゲーションレベルの各サーチスペースにおける複数のマッピング候補位置は、VRB(Virtual Resource Block)においては連続的に配置される。そして、VRBにおける各マッピング候補位置は、上位レイヤのシグナリングによって、PRB(Physical Resource Block)にマッピングされる。【００１１】
ところで、今後、Ｍ２Ｍ（Machine to Machine）通信等、様々な機器が無線通信端末として導入されることを考慮すると、端末数の増加によりPDCCHがマッピングされる領域（つまり、「PDCCH領域」）のリソース不足が懸念される。このリソース不足によってPDCCHがマッピングできなくなると、端末に対する下り回線データの割当が行えない。このため、下り回線データがマッピングされるリソース領域（つまり、「PDSCH（Physical Downlink Shared CHannel）領域」）が空いていても使用することができずに、システムスループットが低下してしまう恐れがある。このリソース不足を解消する方法として、基地局配下の端末に向けた制御信号を、前述のR-PDCCHがマッピングされるデータ領域にも配置することが検討されている。そして、この基地局配下の端末に向けた制御信号がマッピングされるデータ領域及び前述のR-PDCCHがマッピングされるデータ領域を含むリソース領域は、Enhanced PDCCH(E-PDCCH)領域、New-PDCCH(N-PDCCH)領域、又は、X-PDCCH領域などと呼ばれる。このようにデータ領域に制御信号（つまり、E-PDCCH）を配置することにより、セルエッジ付近に存在する端末へ送信される制御信号に対する送信電力制御、又は、送信される制御信号によって他のセルへ与えられる干渉制御若しくは他のセルから自セルへ与えられる干渉制御が、実現可能となる。【００１２】
また、E-PDCCHに対応するサーチスペースは、基地局から端末へ送信される制御信号がマッピングされる可能性の有るリソース領域である。さらに、E-PDCCHに対応するサーチスペースは、端末個別に設定される。E-PDCCHの設計については、R-PDCCHの設計の一部を使うこともできるし、R-PDCCHの設計と全く異なる設計とすることもできる。実際に、E-PDCCHの設計とR-PDCCHの設計とを異なるものにすることも検討されている。【００１３】
上記の通り、R-PDCCH領域では、DL grantは第１スロットにマッピングされ、UL grantは第２スロットにマッピングされる。すなわち、DL grantがマッピングされるリソースと、UL grantがマッピングされるリソースとは、時間軸で分割されている。これに対して、E-PDCCHでは、図３に示すように、DL grantがマッピングされるリソースとUL grantがマッピングされるリソースとが周波数軸（つまり、サブキャリア又はPRBペア）に分割されることも検討されている。
【先行技術文献】
【非特許文献】
【００１４】
【非特許文献１】3GPP TS 36.216 V10.1.0  Physical layer for relaying operation
【発明の概要】
【発明が解決しようとする課題】
【００１５】
ところで、E-PDCCH領域においてDL grantを基地局が送信し、端末に対してRBG単位のPDSCHを割り当てる場合、任意のサブフレームにおいて、DL grantとPDSCHとが同一のRBGに配置されることがある。また、図４における一番上のRBGのように、１つのRBGにDL grantおよびUL grantの両方がマッピングされる場合と、図４における上から３番目のRBGのように、１つのRBGにDL grantのみがマッピングされる場合とがある。そして、DL grantがマッピングされたRBGにおいて、DL grantがマッピングされたPRBペアとUL grantがマッピングされたPRBペアとを除くPRBペアにはPDSCHをマッピングすることができる。【００１６】
従って、DL grantがマッピングされたRBG内のPRBペアにデータ(PDSCH)を割り当てる場合、そのRBG内にUL grantがマッピングされるケースとマッピングされないケースとで、データ領域を変更する必要が生じる。しかしながら、現状、DL grantがマッピングされるRBG内にUL grantが存在するか否かを通知する信号は用意されていない。したがって、現状では、基本的に、DL grantがマッピングされたRBG内のPRBペアにデータ(PDSCH)を割り当てることができない。【００１７】
一方、端末側においてUL grantを復号することによってUL grantの有無を判断することも考えられる。しかしながら、例えば、UL grantの受信品質が悪いことによってUL grantの復号が失敗すると、端末側では、UL grantが存在していたにもかかわらず存在していなかったと判断される。このため、端末側ではUL grantがマッピングされていたPRBにもPDSCHがマッピングされていたと認識される。すなわち、PDSCH領域の誤認識が発生してしまう。PDSCH領域の誤認識が発生すると、再送効率の劣化等の問題が生じる。すなわち、HARQ(Hybrid ARQ)が行われる場合、PDSCH領域にマッピングされている信号がバッファに保存される。HARQ(Hybrid ARQ)においては、再送を繰り返す際にバッファに保存された複数のデータが合成される。このとき、PDSCH領域の誤認識が生じていると、データがマッピングされていない領域にマッピングされている信号がデータとしてバッファに保存されてしまうので、データとして誤認識された信号が合成されることにより、再送効率が劣化してしまう。【００１８】
本発明の目的は、制御信号の検出ミスによるデータリソース領域の誤検出を防止できる送信装置、受信装置、送信方法、及び受信方法を提供することである。
【課題を解決するための手段】
【００１９】
本発明の一態様の送信装置は、受信装置に対する送信データをデータリソース領域にマッピングし、制御信号を前記データリソース領域以外の所定のリソース領域にマッピングして、前記受信装置へ送信する送信装置であって、前記データリソース領域のための割り当て制御信号を生成する生成手段と、複数のリソースブロック（ＲＢ）から構成されるリソースブロックグループ（ＲＢＧ）において、前記データリソース領域と前記割り当て制御信号をマッピングする制御リソース領域とを前記所定のリソース領域内に設定する設定手段と、前記設定されたデータリソース領域に前記送信データをマッピングし、前記制御リソース領域に前記割り当て制御信号をマッピングするマッピング手段と、を具備し、前記割り当て制御信号は、下り回線のデータリソース領域を割り当てる下り回線割り当て制御信号及び上り回線のデータリソース領域を割り当てる上り回線割り当て制御信号であり、前記設定手段は、前記所定のリソース領域が設定されたＲＢに対応付けられた少なくとも１つのＲＢを、前記データリソース領域として設定し、前記下り回線割り当て制御信号をマッピングする前記制御リソース領域を設定したＲＢに付された番号よりも、大きい番号が付されたＲＢのみ、前記上り回線割当て制御信号の検出/未検出に関わらず、前記データリソース領域として設定し、同一のＲＢＧに含まれる複数のＲＥが前記下り回線割り当て制御信号及び前記上り回線割り当て制御信号をマッピングする制御リソース領域として設定される場合、前記下り回線割り当て制御信号をマッピングする制御リソース領域が設定されたＲＢに付された第一番号以下の第二番号に対応するＲＢが、前記上り回線割り当て制御信号をマッピングする制御リソース領域として設定される。
【００２０】
本発明の一態様の受信装置は、データリソース領域にマッピングされて送信装置から送信されたデータを受信し、前記データリソース以外の所定のリソース領域において前記送信装置から送信された制御信号を含む受信信号を受信する受信装置であって、前記受信信号に含まれる、前記データリソース領域のための割り当て制御信号を検出する検出手段と、前記割り当て制御信号が検出されたリソースブロック（ＲＢ）を含む複数のＲＢから構成されるリソースブロックグループ（ＲＢＧ）における前記データリソース領域に対応するデータ抽出対象領域を特定する特定手段と、前記特定されたデータ抽出対象領域内のデータ信号を前記受信信号から抽出する抽出手段と、を具備し、前記割り当て制御信号は、下り回線のデータリソース領域を割り当てる下り回線割り当て制御信号及び上り回線のデータリソース領域を割り当てる上り回線割り当て制御信号であり、前記データ抽出対象領域は、前記割り当て制御信号が検出されたＲＢに対応付けられたＲＢに対応し、前記データ抽出対象領域は、前記上り回線割当て制御信号の検出/未検出に関わらず、前記下り回線割り当て制御信号が検出されたＲＢに付された番号よりも、大きい番号が付されたＲＢのみに対応し、前記下り回線割り当て制御信号及び前記上り回線割り当て制御信号がマッピングされた制御リソースとして設定された複数のＲＥが同一のＲＢＧに含まれる場合、前記上り回線割り当て制御信号がマッピングされた制御リソース抽出対象領域は、前記下り回線割り当て制御信号が検出されたＲＢに付された第一番号以下の第二番号に対応するＲＢである。
【００２１】
本発明の一態様の送信方法は、受信装置に対する送信データをデータリソース領域にマッピングし、制御信号を前記データリソース領域以外の所定のリソース領域にマッピングして、前記受信装置へ送信する送信方法であって、前記データリソース領域のための割り当て制御信号を生成する生成ステップと、複数のリソースブロック（ＲＢ）から構成されるリソースブロックグループ（ＲＢＧ）において、前記データリソース領域と前記割り当て制御信号をマッピングする制御リソース領域とを前記所定のリソース領域内に設定する設定ステップと、前記設定されたデータリソース領域に前記送信データをマッピングし、前記制御リソース領域に前記割り当て制御信号をマッピングするマッピングステップと、を含み、前記割り当て制御信号は、下り回線のデータリソース領域を割り当てる下り回線割り当て制御信号及び上り回線のデータリソース領域を割り当てる上り回線割り当て制御信号であり、前記所定のリソース領域が設定されたＲＢに対応付けられた少なくとも１つのＲＢが、前記データリソース領域として設定され、前記下り回線割り当て制御信号をマッピングする前記制御リソース領域を設定したＲＢに付された番号よりも、大きい番号が付されたＲＢのみ、前記上り回線割当て制御信号の検出/未検出に関わらず、前記データリソース領域として設定され、同一のＲＢＧに含まれる複数のＲＥが前記下り回線割り当て制御信号及び前記上り回線割り当て制御信号をマッピングする制御リソース領域として設定される場合、前記下り回線割り当て制御信号をマッピングする制御リソース領域が設定されたＲＢに付された第一番号以下の第二番号に対応するＲＢが、前記上り回線割り当て制御信号をマッピングする制御リソース領域として設定される。
【００２２】
本発明の一態様の受信方法は、データリソース領域にマッピングされて送信装置から送信されたデータを受信し、前記データリソース以外の所定のリソース領域において前記送信装置から送信された制御信号を含む受信信号を受信する受信方法であって、前記受信信号に含まれる、前記データリソース領域のための割り当て制御信号を検出する検出ステップと、前記割り当て制御信号が検出されたリソースブロック（ＲＢ）を含むＭ（Ｍは２以上の自然数）個のＲＢから構成されるリソースブロックグループ（ＲＢＧ）における前記データリソース領域に対応するデータ抽出対象領域を特定する特定ステップと、前記特定されたデータ抽出対象領域内のデータ信号を前記受信信号から抽出する抽出ステップと、を含み、前記割り当て制御信号は、下り回線のデータリソース領域を割り当てる下り回線割り当て制御信号及び上り回線のデータリソース領域を割り当てる上り回線割り当て制御信号であり、前記データ抽出対象領域は、前記割り当て制御信号が検出されたＲＢに対応付けられたＲＢに対応し、前記データ抽出対象領域は、前記上り回線割当て制御信号の検出/未検出に関わらず、前記下り回線割り当て制御信号が検出されたＲＢに付された番号よりも、大きい番号が付されたＲＢのみに対応し、前記下り回線割り当て制御信号及び前記上り回線割り当て制御信号がマッピングされた制御リソースとして設定された複数のＲＥが同一のＲＢＧに含まれる場合、前記上り回線割り当て制御信号がマッピングされた制御リソース抽出対象領域は、前記下り回線割り当て制御信号が検出されたＲＢに付された第一番号以下の第二番号に対応するＲＢである。
【発明の効果】
【００２３】
本発明によれば、制御信号の検出ミスによるデータリソース領域の誤検出を防止できる送信装置、受信装置、送信方法、及び受信方法を提供することができる。
【図面の簡単な説明】
【００２４】
【図１】LTEシステム及びLTE-Aシステムにおいて、制御信号及びデータを割り当てたフレームの一例を示す図
【図２】R-PDCCHに対応するサーチスペースの一例を示す図
【図３】E-PDCCHにおけるDL grant及びUL grantのマッピング例を示す図
【図４】DL grant及びUL grantのマッピングバリエーションを示す図
【図５】本発明の実施の形態１に係る基地局の要部構成を示すブロック図
【図６】本発明の実施の形態１に係る端末の要部構成を示すブロック図
【図７】本発明の実施の形態１に係る基地局の構成を示すブロック図
【図８】制御部の構成を示すブロック図
【図９】本発明の実施の形態１に係る端末の構成を示すブロック図
【図１０】本発明の実施の形態１に係るマッピングリソース決定ルールの説明に供する図
【図１１】DL grantのサーチスペースとUL grantのサーチスペースとが一部同じで一部異なる場合における、マッピングリソース決定ルール及びマッピングリソース特定ルールの適用についての説明に供する図
【図１２】実施の形態２に係るマッピングリソース決定ルール及びマッピングリソース特定ルールの説明に供する図
【図１３】本発明の実施の形態３に係るマッピングリソース決定ルール及びマッピングリソース特定ルールの説明に供する図
【図１４】本発明の実施の形態３に係るマッピングリソース決定ルール及びマッピングリソース特定ルールの説明に供する図
【図１５】本発明の実施の形態４に係るマッピングリソース決定ルール及びマッピングリソース特定ルールの説明に供する図
【図１６】本発明の実施の形態４に係るマッピングリソース決定ルール及びマッピングリソース特定ルールの説明に供する図
【図１７】他の実施の形態に係るマッピングリソース決定ルールの説明に供する図
【発明を実施するための形態】
【００２５】
以下、本発明の実施の形態について図面を参照して詳細に説明する。なお、実施の形態において、同一の構成要素には同一の符号を付し、その説明は重複するので省略する。
【００２６】
［実施の形態１］
［通信システムの概要］
本発明の実施の形態１に係る通信システムは、送信装置と受信装置とを有する。特に、本発明の実施の形態では、送信装置を基地局１００とし、受信装置を端末２００として説明する。この通信システムは、例えば、LTE-Aシステムである。そして、基地局１００は、例えば、LTE-A基地局であり、端末２００は、例えば、LTE-A端末である。
【００２７】
図５は、本発明の実施の形態１に係る基地局１００の要部構成を示すブロック図である。
【００２８】
基地局１００は、端末２００に対する制御信号を、制御チャネル及びデータチャネルのいずれにも使用可能な第１のリソース領域（ここでは、E-PDCCH）にマッピングして送信し、送信データをデータリソース領域にマッピングして端末２００へ送信する。そして、制御部１０１は、データリソース領域のための割り当て制御信号（DL grant又はUL grant）を生成し、複数のリソースブロック（ＲＢ）から構成されるリソースブロックグループ（ＲＢＧ）において、データリソース領域と割り当て制御信号をマッピングする制御リソース領域とを第１のリソース領域内に設定する。特に、制御部１０１は、第１のリソース領域が設定されたＲＢに対応付けられた少なくとも１つのＲＢを、データリソース領域として設定する。そして、信号割り当て部１０４は、設定されたデータリソース領域に送信データをマッピングし、制御リソース領域に割り当て制御信号をマッピングする。
【００２９】
図６は、本発明の実施の形態１に係る端末２００の要部構成を示すブロック図である。
【００３０】
端末２００は、制御チャネル及びデータチャネルのいずれにも使用可能な第１のリソース領域（ここでは、E-PDCCH）において基地局１００から送信された制御信号を含む受信信号を受信し、データリソース領域にマッピングされて基地局１００から送信されたデータを受信する。そして、制御信号受信部２０５は、受信信号に含まれる、データリソース領域のための割り当て制御信号（DL grant又はUL grant）を検出する。そして、リソース特定部２０６は、割り当て制御信号が検出されたリソースブロック（ＲＢ）を含む複数のＲＢから構成されるリソースブロックグループ（ＲＢＧ）における前記データリソース領域に対応するデータ成分抽出対象領域を特定する。そして、信号分離部２０２は、特定されたデータ成分抽出対象領域内の信号成分を受信信号から抽出する。特に、データ成分抽出対象領域は、割り当て制御信号が検出されたＲＢに対応付けられたＲＢに対応する。
【００３１】
［基地局１００の構成］
図７は、本発明の実施の形態１に係る基地局１００の構成を示すブロック図である。図７において、基地局１００は、制御部１０１と、誤り訂正符号化部１０２と、変調部１０３と、信号割り当て部１０４と、送信部１０５と、受信部１０６と、復調部１０７と、誤り訂正復号部１０８とを有する。
【００３２】
制御部１０１は、端末２００から送信された「報告情報」を入力とする。「報告情報」は、端末２００から送信されたDL回線品質、ULスケジューリング要求又はバッファ状態報告等を含む。
【００３３】
制御部１０１は、送信データ信号の送信スケジューリングを行い、DL grantを生成する。具体的には、制御部１０１は、制御信号及びデータ信号の「マッピングリソース決定ルール」に従って、制御信号及びデータ信号のマッピングリソースを決定する。決定されたマッピングリソースに関する情報は、信号割り当て部１０４へ出力される。また、制御部１０１は、データ信号のマッピングリソースに関する情報を含めたDL grantを生成する。生成されたDL grantは、信号割り当て部１０４へ出力される。
【００３４】
また、制御部１０１は、入力される「報告情報」に上り回線データ信号のスケジューリング要求が含まれている場合には、UL grantを生成する。生成されたUL grantは、信号割り当て部１０４へ出力される。
【００３５】
詳細には、制御部１０１は、図８に示すように、スケジューリング部１１１と、制御信号生成部１１２とを有する。
【００３６】
スケジューリング部１１１は、制御信号及びデータ信号の「マッピングリソース決定ルール」に従って、制御信号及びデータ信号のマッピングリソースを決定する。「マッピングリソース決定ルール」は、基本的には、DL grantがマッピングされるPRBペアと、そのDL grantによって指示される、データ信号がマッピングされるデータリソース（つまり、１つ又は複数のPRBペア）とを規定する。本実施の形態における「マッピングリソース決定ルール」では、任意の割り当て対象RBGにおいて、DL grantがマッピングされるPRBペアと、そのDL grantによって指示され且つデータ信号がマッピングされる、少なくとも１つのPRBペアとが対応付けられている。具体的には、本実施の形態における「マッピングリソース決定ルール」では、DL grantと当該DL grantによって指示されるデータリソースとが１つのRBG内にマッピングされる場合、DL grantがマッピングされるPRBペアのRB番号より大きいRB番号が対応付けられたPRBペアのみがデータリソースとされる。
【００３７】
そして、スケジューリング部１１１は、決定した制御信号及びデータ信号のマッピングリソースに関する情報（以下では、単に「マッピングリソース情報」と呼ばれることがある）を信号割り当て部１０４及び制御信号生成部１１２へ出力し、DL grant生成指示を制御信号生成部１１２へ出力する。
【００３８】
また、スケジューリング部１１１は、入力される「報告情報」に上り回線データ信号のスケジューリング要求が含まれている場合には、UL grantをマッピングするリソースを決定しそのリソースに関する情報を信号割り当て部１０４へ出力すると共に、UL grant生成指示を制御信号生成部１１２へ出力する。
【００３９】
制御信号生成部１１２は、マッピングリソース情報と共にDL grant生成指示を受け取ると、マッピングリソース情報を含めたDL grantを生成する。こうして生成されたDL grantは、信号割り当て部１０４へ出力される。
【００４０】
また、制御信号生成部１１２は、UL grant生成指示を受け取ると、UL grantを生成し、信号割り当て部１０４へ出力する。
【００４１】
誤り訂正符号化部１０２は、送信データ信号を入力とし、入力された送信データ信号を誤り訂正符号化し、変調部１０３へ出力する。ここで、送信データ信号には、上位レイヤで生成されたサーチスペースの設定等の制御信号も含まれる。
【００４２】
変調部１０３は、誤り訂正符号化部１０２から受け取る信号に対して変調処理を施し、変調後の送信データ信号を信号割り当て部１０４へ出力する。
【００４３】
信号割り当て部１０４は、制御部１０１から受け取るマッピングリソース情報に基づくリソースに、制御部１０１から受け取るDL grant及び変調部１０３から受け取る変調後の送信データ信号をマッピングする。また、信号割り当て部１０４は、制御部１０１から受け取るから受け取るUL grantのマッピングリソースに関する情報が示すリソースに、制御部１０１から受け取るから受け取るUL grantをマッピングする。このように送信データ信号及び制御信号が所定のリソースにマッピングされることにより、送信信号が生成される。この送信信号は、送信部１０５へ出力される。
【００４４】
送信部１０５は、入力信号に対してアップコンバート等の送信処理を施し、送信する。
【００４５】
受信部１０６は、端末２００から送信された信号を受信し、ダウンコンバート等の受信処理を施した後に復調部１０７へ出力する。
【００４６】
復調部１０７は、入力信号に対して復調処理を施し、得られた信号を誤り訂正復号部１０８へ出力する。
【００４７】
誤り訂正復号部１０８は、入力信号を復号し、端末２００からの報告情報及び受信データ信号を得る。得られた端末２００からの報告情報は、制御部１０１へ出力される。また、得られた受信データ信号は、後段の機能部へ出力される。
【００４８】
［端末２００の構成］
図９は、本発明の実施の形態１に係る端末２００の構成を示すブロック図である。図９において、端末２００は、受信部２０１と、信号分離部２０２と、復調部２０３と、誤り訂正復号部２０４と、制御信号受信部２０５と、リソース特定部２０６と、誤り訂正符号化部２０７と、変調部２０８と、信号割り当て部２０９と、送信部２１０とを有する。
【００４９】
受信部２０１は、基地局１００から送信された信号を介して受信し、ダウンコンバート等の受信処理を施した後に信号分離部２０２へ出力する。
【００５０】
信号分離部２０２は、受信部２０１から受け取る受信信号を制御信号受信部２０５へ出力する。
【００５１】
また、信号分離部２０２は、リソース特定部２０６から出力されたマッピングリソース情報が示すデータリソースに対応する信号成分（つまり、下り回線データ信号に対応する信号成分）を受信信号から抽出し、抽出された信号を復調部２０３へ出力する。
【００５２】
復調部２０３は、信号分離部２０２から出力された信号を復調し、当該復調された信号を誤り訂正復号部２０４へ出力する。
【００５３】
誤り訂正復号部２０４は、復調部２０３から出力された復調信号を復号し、得られた受信データ信号を出力する。
【００５４】
制御信号受信部２０５は、信号分離部２０２から受け取る受信信号からE-PDCCH領域に対応する信号成分を抽出し、当該抽出された信号成分に対してブラインド復号を行うことにより、自装置宛の制御信号（DL grant又はUL grant）を検出する。検出された自装置宛の制御信号（DL grant又はUL grant）及び制御信号が検出されたRB番号は、リソース特定部２０６へ出力される。
【００５５】
リソース特定部２０６は、制御信号受信部２０５から受け取る、DL grantが検出されたRB番号と、「マッピングリソース特定ルール」とに基づいて、下り回線データ信号がマッピングされているデータリソース（つまり、１つ又は複数のPRBペア）を特定する。ここで、「マッピングリソース特定ルール」は、基地局１００における「マッピングリソース決定ルール」と同じである。すなわち、本実施の形態における「マッピングリソース特定ルール」では、任意の割り当て対象RBGにおいて、DL grantが検出されたPRBペアと、そのDL grantによって指示される、下り回線データ信号がマッピングされる、少なくとも１つのPRBペアとが対応付けられている。具体的には、本実施の形態における「マッピングリソース特定ルール」では、検出されたDL grantと当該DL grantによって指示されるデータリソースとが１つのRBG内にマッピングされている場合、検出されたDL grantがマッピングされたPRBペアのRB番号より大きいRB番号が対応付けられたPRBペアのみがデータリソースとされる。
【００５６】
また、リソース特定部２０６は、制御信号受信部２０５から受け取るUL grantに含まれる割り当て情報を信号割り当て部２０９へ出力する。
【００５７】
誤り訂正符号化部２０７は、送信データ信号を入力とし、その送信データ信号を誤り訂正符号化し、変調部２０８へ出力する。
【００５８】
変調部２０８は、誤り訂正符号化部２０７から出力された信号を変調し、変調信号を信号割り当て部２０９へ出力する。
【００５９】
信号割り当て部２０９は、変調部２０８から出力された信号を、リソース特定部２０６から受け取る割り当て情報に従ってマッピングし、送信部２１０へ出力する。
【００６０】
送信部２１０は、入力信号に対してアップコンバート等の送信処理を施し、送信する。
【００６１】
［基地局１００及び端末２００の動作］
以上の構成を有する基地局１００及び端末２００の動作について説明する。
【００６２】
基地局１００において、制御部１０１は、制御信号及びデータ信号の「マッピングリソース決定ルール」に従って、制御信号及びデータ信号のマッピングリソースを決定する。本実施の形態における「マッピングリソース決定ルール」では、任意の割り当て対象RBGにおいて、DL grantがマッピングされるPRBペアと、そのDL grantによって指示され且つデータ信号がマッピングされる、少なくとも１つのPRBペアとが対応付けられている。具体的には、本実施の形態における「マッピングリソース決定ルール」では、DL grantと当該DL grantによって指示されるデータリソースとが１つのRBG内にマッピングされる場合、DL grantがマッピングされるPRBペアのRB番号より大きいRB番号が対応付けられたPRBペアのみがデータリソースとされる。
【００６３】
図１０は、実施の形態１に係るマッピングリソース決定ルールの説明に供する図である。図１０では、RBGが４つのPRBによって構成される例が示されている。
【００６４】
実施の形態１に係るマッピングリソース決定ルールに従えば、図１０Ａに示すように、割り当て対象RBGにおいてDL grantがマッピングされるPRBペアの番号がRB#0の場合、データリソースは、RB#0より番号の大きいRB#1,RB#2,RB#3に対応するPRBペア群である。
【００６５】
また、図１０Ｂに示すように、割り当て対象RBGにおいてDL grantがマッピングされるPRBペアの番号がRB#1の場合、データリソースは、RB#1より番号の大きいRB#2,RB#3に対応するPRBペア群である。
【００６６】
また、図１０Ｃに示すように、割り当て対象RBGにおいてDL grantがマッピングされるPRBペアの番号がRB#1の場合、データリソースは、RB#1より番号の大きいRB#3に対応するPRBペアである。
【００６７】
このとき、DL grantがマッピングされるPRBペアのRB番号より小さいRB番号が対応付けられたPRBペアには、そのDL grantによる割り当て対象である端末２００宛のUL grantが割り当てられてもよいし、その端末２００と異なる端末宛のPDSCH、DL grant、又はUL grantが割り当てられてもよい。
【００６８】
制御部１０１において決定されたマッピングリソース情報と、制御部１０１において生成された制御信号とは、信号割り当て部１０４へ出力される。
【００６９】
信号割り当て部１０４は、制御部１０１から受け取るマッピングリソース情報に基づくリソースに、制御部１０１から受け取る制御信号及び変調部１０３から受け取る変調後の送信データ信号をマッピングする。このように送信データ信号及び制御信号が所定のリソースにマッピングされることにより、送信信号が生成される。この送信信号は、送信部１０５を介して端末２００へ送信される。
【００７０】
端末２００において、制御信号受信部２０５は、信号分離部２０２から受け取る受信信号からE-PDCCH領域に対応する信号成分を抽出し、当該抽出された信号成分に対してブラインド復号を行うことにより、自装置宛の制御信号（DL grant又はUL grant）を検出する。検出された自装置宛の制御信号（DL grant又はUL grant）及び制御信号が検出されたRB番号は、リソース特定部２０６へ出力される。
【００７１】
リソース特定部２０６は、制御信号受信部２０５から受け取る、DL grantが検出されたRB番号と、マッピングリソース特定ルールとに基づいて、下り回線データ信号がマッピングされているデータリソース（つまり、１つ又は複数のPRBペア）を特定する。
【００７２】
例えば、図１０Ａに示されたRBGが基地局１００から端末２００へ送信された場合、端末２００は、自装置宛のDL grantをRB番号がRB#0であるPRBにおいて検出する。このため、リソース特定部２０６は、RB#0より番号の大きいRB#1,RB#2,RB#3に対応するPRBペア群をデータリソースとして特定する。
【００７３】
そして、信号分離部２０２は、リソース特定部２０６から出力されたマッピングリソース情報が示すデータリソースに対応する信号成分（つまり、下り回線データ信号に対応する信号成分）を受信信号から抽出し、抽出された信号を復調部２０３へ出力する。
【００７４】
以上のように本実施の形態によれば、基地局１００において、制御部１０１は、下り回線割り当て制御信号（つまり、DL grant）をマッピングする制御リソース領域を設定したPRBに付された番号よりも、大きい番号が付されたPRBのみを、データリソース領域として設定する。
【００７５】
こうすることで、端末２００では、下り回線割り当て制御信号が検出されるPRBを特定できれば、直接的にデータリソース領域を特定できるので、上り回線割り当て制御信号の検出ミスによるデータリソース領域の誤検出を防止できる。
【００７６】
また、本実施の形態によれば、端末２００において、リソース特定部２０６は、下り回線割り当て制御信号が検出されたPRBに付された番号よりも大きい番号が付されたPRBのみを、データリソース領域に対応するデータ成分抽出対象領域を特定する。
【００７７】
こうすることにより、下り回線割り当て制御信号が検出されるPRBを特定できれば、直接的にデータリソース領域を特定できるので、上り回線割り当て制御信号の検出ミスによるデータリソース領域の誤検出を防止できる。また、上り回線割り当て制御信号の復号を待たずに、受信データの復号を開始できるので、受信処理遅延の増大を防ぐことができる。
【００７８】
なお、以上で説明したマッピングリソース決定ルール及びマッピングリソース特定ルールは、DL grantのサーチスペースとUL grantのサーチスペースとが同じ場合、異なる場合、及び、一部同じで一部異なる場合のいずれにも適用できる。
【００７９】
ここでは、DL grantのサーチスペースとUL grantのサーチスペースとが一部同じで一部異なる場合を例にとり説明する。図１１は、DL grantのサーチスペースとUL grantのサーチスペースとが一部同じで一部異なる場合における、マッピングリソース決定ルール及びマッピングリソース特定ルールの適用についての説明に供する図である。図１１Ａは、E-PDCCHに対応するサーチスペースの一例を示す図である。図１１Ｂは、マッピングリソース特定ルールに従ってDL grant、UL grant、及びPDSCHがマッピングされた複数のRBGを示す。
【００８０】
図１１Ａでは、UL grantのアグリゲーションレベル１のサーチスペース#0、#1、#、2、#3がPRB#0、#16、#32、#33に割り当てられており、DL grantのアグリゲーションレベル１のサーチスペース#0、#1、#、2、#3がPRB#１、16、34、35に割り当てられている。また、アグリゲーションレベル２のサーチスペースの#0は、アグリゲーションレベル１の#0、#1と同じであり、アグリゲーションレベル２のサーチスペースの#１は、アグリゲーションレベル１の#2、#3と同じである。
【００８１】
端末２００は、DL grantをRBG#0のRB#1で検出し且つそのDL grantがRBG#0におけるPDSCHのリソース割り当てを指示している場合、PRB#1よりもRB番号の大きいPRB#2、#3にPDSCHが割り当てられていると判断する。このとき、PRB#0には、UL grantが割り当てられてもよい。
【００８２】
また、端末２００は、DL grantをRBG#4のRB#16で検出し且つそのDL grantがRBG#4におけるPDSCHのリソース割り当てを指示している場合、PRB#16よりもRB番号の大きいPRB#17、#18、#19にPDSCHが割り当てられていると判断する。
【００８３】
また、端末２００は、DL grantをRBG#8のRB#34で検出し且つそのDL grantがRBG#8におけるPDSCHのリソース割り当てを指示している場合、RB#34よりもRB番号の大きいRB#35にPDSCHが割り当てられていると判断する。
【００８４】
また、端末２００は、DL grantが検出されず且つPDSCHが割り当てられているRBGについては、そのRBG内の全てのPRBにPDSCHが割り当てられていると判断する。
【００８５】
このように実施の形態１で説明したマッピングリソース決定ルール及びマッピングリソース特定ルールを、DL grantのサーチスペースとUL grantのサーチスペースとが一部同じで一部異なる場合に適用すると、以下に示すような、DL grant及びPDSCHに対するリソース割り当てが可能となる。すなわち、図１１ＢのRBG#4の様な、DL grantのサーチスペースがRBG内で最も小さい番号のPRBに設定されているRBGを選択すると、アグリゲーションレベル１のDL grantとPDSCHとをそのRBGに割り当てることができる。また、図１１ＢのRBG#0の様な、UL grantのサーチスペースがRBG内で１番小さい番号のPRBに設定されており、且つ、DL grantのサーチスペースがRBG内で2番目に小さい番号のPRBに設定されているRBGを選択すると、アグリゲーションレベル１のDL grantとアグリゲーションレベル１のUL grantとPDSCHとを割り当てることができる。また、図１１ＢのRBG#8の様な、UL grantがRBG内で１番目と2番目に小さい番号のPRBに設定されており、DL grantがRBG内で3番目に小さい番号のPRBに設定されているRBGを選択すると、アグリゲーションレベル１のDL grantとアグリゲーションレベル２のUL grantとPDSCHとを割り当てることができる。
【００８６】
以上のように、DL grantのサーチスペースとUL grantのサーチスペースとを一部同じで一部異なるように設定すると、UL grantの有無又はサイズによって、DL grantの場所を選ぶことができるので、リソースの無駄を生じさせることなくPDSCHを割り当てることができる。
【００８７】
また、以上で説明したマッピングリソース決定ルール及びマッピングリソース特定ルールでは、DL grantと当該DL grantによって指示されるデータリソースとが１つのRBG内にマッピングされる場合、DL grantがマッピングされるPRBペアのRB番号より大きいRB番号が対応付けられたPRBペアのみがデータリソースとされるものとした。しかしながら、本発明はこれに限定されるものではなく、DL grantと当該DL grantによって指示されるデータリソースとが１つのRBG内にマッピングされる場合、DL grantがマッピングされるPRBペアのRB番号より小さいRB番号が対応付けられたPRBペアのみがデータリソースとされるものとしてもよい。要は、任意の割り当て対象RBGにおいて、DL grantがマッピングされるPRBペアと、そのDL grantによって指示され且つデータ信号がマッピングされる、少なくとも１つのPRBペアとが対応付けられていればよい。
【００８８】
また、以上で説明したマッピングリソース決定ルール及びマッピングリソース特定ルールにおいて、データリソースリソースが割り当てられていないリソース領域は、全てのアンテナポートにおいて共通とされてもよい。
【００８９】
また、以上で説明したマッピングリソース決定ルール及びマッピングリソース特定ルールは、RBGサイズ（つまり、RBGを構成するPRBの数）が３以上のときに特に有効である。
【００９０】
［実施の形態２］
実施の形態２は、DLデータ送信に用いられる１UE当たりのlayer数が２以上の場合のマッピングリソース決定ルール及びマッピングリソース特定ルールに関する。実施の形態２では、特に、UL grant及びDL grantが同じアンテナポートから送信される場合について説明する。ここでは、特に、UL grant及びDL grantが基本アンテナポートから送信される場合を例にとり説明する。
【００９１】
ここで、LTE-Aシステムにおいて、DM-RSの送信に用いられるアンテナポートは、DLデータ送信に用いられる１UE当たりのlayer数と、設定テーブルとに基づいて、定められている。DM-RS（Demodulation Reference signal）は、DLデータ（つまり、PDSCH）のチャネル推定に使用される。DLデータとDM-RSとは、同一のアンテナポートから送信される。これにより、DM-RSを使用したチャネル推定が可能となる。ここで、layerとは、MIMO通信を説明する場合に頻繁に用いられるストリームに相当する。
【００９２】
また、LTE-Aシステムにおいて、DL grantは、アンテナポート7から送信される。DLデータ送信に用いられる１UE当たりのlayer数が１の場合、アンテナポート7又はアンテナポート8がDLデータ送信のために使用される。また、DLデータ送信に用いられる１UEあたりのlayer数が２以上の場合、アンテナポート7からアンテナポート番号が小さいポートから順に、layer数と同じ数のアンテナポートがDLデータ送信のために使用される。例えば、レイヤ数が４の場合、アンテナポート7,8,9,10が使用される。
【００９３】
すなわち、LTE-Aシステムにおいて、DL grantは、基準アンテナポートから送信される。DLデータ送信に用いられる１UE当たりのlayer数が１の場合、DLデータ送信のために使用されるアンテナポートとしては、基準アンテナポートと、第２のアンテナポートとがある。また、DLデータ送信に用いられる１UE当たりのlayer数が２の場合、基準アンテナポートから所定の順番で、layer数と同じ数のアンテナポートがDLデータ送信のために使用される。つまり、DLデータ送信に用いられる１UE当たりのlayer数が２の場合、基準アンテナポートは、DLデータ送信に必ず使用される。
【００９４】
このようにR-PDCCHでは、アンテナポート7が使用されることになっている。これに対して、E-PDCCHについては，複数のアンテナポートを使用することが検討されている。
【００９５】
なお、実施の形態２に係る基地局及び端末は、実施の形態１に係る基地局１００及び端末２００と同様であるので、図７乃至９を援用して説明する。図１２は、実施の形態２に係るマッピングリソース決定ルール及びマッピングリソース特定ルールの説明に供する図である。図１２には、割り当て対象端末宛のPDSCHのレイヤ数が４の場合のRBGが示されている。
【００９６】
実施の形態２の基地局１００において、制御部１０１は、制御信号及びデータ信号の「マッピングリソース決定ルール」に従って、制御信号及びデータ信号のマッピングリソースを決定する。
【００９７】
本実施の形態におけるマッピングリソース決定ルールでは、基本アンテナポートの割り当て対象RBGについては、実施の形態１におけるマッピングリソース決定ルールと同様である（図１２Ａ参照）。ただし、本実施の形態におけるマッピングリソース決定ルールでは、UL grant及びDL grantがマッピングされる基準アンテナポートと異なるアンテナポートの割り当て対象RBGにおいては、そのRBGを構成する全てのPRBがデータリソースとされる（図１２Ｂ参照）。
【００９８】
また、実施の形態２の端末２００において、リソース特定部２０６は、制御信号受信部２０５から受け取る、DL grantが検出されたRB番号と、「マッピングリソース特定ルール」とに基づいて、下り回線データ信号がマッピングされているデータリソース（つまり、１つ又は複数のPRBペア）を特定する。ここで、「マッピングリソース特定ルール」は、実施の形態２の基地局１００における「マッピングリソース決定ルール」と同じである。
【００９９】
［実施の形態３］
実施の形態３は、DLデータ送信に用いられる１UE当たりのlayer数が２以上の場合のマッピングリソース決定ルール及びマッピングリソース特定ルールに関する。実施の形態３では、特に、UL grant及びDL grantが異なるアンテナポートから送信される場合について説明する。ここでは、特に、DL grantが基本アンテナポートから送信される場合を例にとり説明する。また、実施の形態３に係る基地局及び端末は、実施の形態１に係る基地局１００及び端末２００と同様であるので、図７乃至９を援用して説明する。図１３及び図１４は、実施の形態３に係るマッピングリソース決定ルール及びマッピングリソース特定ルールの説明に供する図である。図１３及び図１４には、割り当て対象端末宛のPDSCHのレイヤ数が４の場合のRBGが示されている。
【０１００】
実施の形態３の基地局１００において、制御部１０１は、制御信号及びデータ信号の「マッピングリソース決定ルール」に従って、制御信号及びデータ信号のマッピングリソースを決定する。本実施の形態におけるマッピングリソース決定ルールでは、基本アンテナポートの割り当て対象RBGについては、実施の形態１におけるマッピングリソース決定ルールと同様である（図１３Ａ及び図１４Ａ参照）。また、本実施の形態におけるマッピングリソース決定ルールでは、UL grantがマッピングされることが許されるアンテナポートの割り当て対象RBGにおいては、基本アンテナポートと同じPRBがデータリソースとされる（図１３Ｂ及び図１４Ｂ参照）。すなわち、本実施の形態におけるマッピングリソース決定ルールでは、基本アンテナポートと少なくとももう１つのアンテナポートとの割り当て対象RBGにおいて、データリソースではないリソースが存在する。こうすることにより、UL grantの配置自由度が向上する。ただし、本実施の形態におけるマッピングリソース決定ルールでは、UL grant及びDL grantのいずれもマッピングされないアンテナポートの割り当て対象RBGにおいては、そのRBGを構成する全てのPRBがデータリソースとされる（図１３Ｃ及び図１４Ｃ参照）。
【０１０１】
また、実施の形態３の端末２００において、リソース特定部２０６は、制御信号受信部２０５から受け取る、DL grantが検出されたRB番号と、「マッピングリソース特定ルール」とに基づいて、下り回線データ信号がマッピングされているデータリソース（つまり、１つ又は複数のPRBペア）を特定する。ここで、「マッピングリソース特定ルール」は、実施の形態３の基地局１００における「マッピングリソース決定ルール」と同じである。
【０１０２】
なお、図１３Ａ及び図１３Ｂに示すように、アンテナポートが異なり且つRB番号も異なるPRBに、UL grant及びDL grantをマッピングすることにより、UL grant及びDL grantの受信品質を向上させることができる。
【０１０３】
また、受信品質が十分良好である場合には、図１４Ａ及び図１４Ｂに示すように、アンテナポートが同一であり且つRB番号も同一であるPRBにUL grant及びDL grantをマッピングすることにより、データリソースとして利用できるリソースの量を増加させることができる。
【０１０４】
［実施の形態４］
実施の形態４は、DLデータ送信に用いられる１UE当たりのlayer数が２以上の場合のマッピングリソース決定ルール及びマッピングリソース特定ルールに関する。実施の形態４のマッピングリソース決定ルール及びマッピングリソース特定ルールでは、割り当て対象RBGにおいて、UL grantがマッピングされるアンテナポート番号は、DL grantがマッピングされるアンテナポート番号以下である。また、実施の形態４に係る基地局及び端末は、実施の形態１に係る基地局１００及び端末２００と同様であるので、図７乃至９を援用して説明する。図１５及び図１６は、実施の形態４に係るマッピングリソース決定ルール及びマッピングリソース特定ルールの説明に供する図である。図１５及び図１６には、割り当て対象端末宛のPDSCHのレイヤ数が４の場合のRBGが示されている。
【０１０５】
実施の形態４の基地局１００において、制御部１０１は、制御信号及びデータ信号の「マッピングリソース決定ルール」に従って、制御信号及びデータ信号のマッピングリソースを決定する。本実施の形態におけるマッピングリソース決定ルールでは、DL grantがマッピングされるアンテナポートの割り当て対象RBGについては、実施の形態１におけるマッピングリソース決定ルールと同様である（図１５Ｂ及び図１６Ａ参照）。ただし、本実施の形態におけるマッピングリソース決定ルールでは、割り当て対象RBGにおいて、UL grantがマッピングされるアンテナポート番号は、DL grantがマッピングされるアンテナポート番号以下である（図１５Ａ及び図１５Ｂ参照）。そして、UL grant及びDL grantが異なるアンテナポートの割り当て対象RBGにマッピングされる場合には、実施の形態３と同様に、UL grantがマッピングされることが許されるアンテナポートの割り当て対象RBGにおいては、DL grantがマッピングされるアンテナポートの割り当て対象RBGと同じPRBがデータリソースとされる（図１５Ａ及び図１５Ｂ参照）。そして、UL grant及びDL grantのいずれもマッピングされないアンテナポートの割り当て対象RBGにおいては、その割り当て対象RBGを構成する全てのPRBがデータリソースとされる（図１５Ｃ、図１６Ｂ、及び図１６Ｃ参照）。
【０１０６】
また、実施の形態４の端末２００において、リソース特定部２０６は、制御信号受信部２０５から受け取る、DL grantが検出されたRB番号と、「マッピングリソース特定ルール」とに基づいて、下り回線データ信号がマッピングされているデータリソース（つまり、１つ又は複数のPRBペア）を特定する。ここで、「マッピングリソース特定ルール」は、実施の形態４の基地局１００における「マッピングリソース決定ルール」と同じである。
【０１０７】
［他の実施の形態］
［１］実施の形態１のマッピングリソース決定ルール及びマッピングリソース特定ルールにおいては、DL grantと当該DL grantによって指示されるデータリソースとが１つのRBG内にマッピングされる場合、DL grantがマッピングされるPRBペアのRB番号より大きいRB番号が対応付けられたPRBペアのみをデータリソースとした。これに対して、DL grantがマッピングされるPRBペアのRB番号より小さい番号が対応付けられたPRBペアを、UL grantのサーチスペースであるか否かに応じて、データリソースとするマッピングリソース決定ルール及びマッピングリソース特定ルールが採用されてもよい。
【０１０８】
図１７は、他の実施の形態に係るマッピングリソース決定ルールの説明に供する図である。図１７Ａに示すようにRBG#4のPRB#16にはUL grantのサーチスペースが設定されていないので、図１７Ｂに示すようにRBG#4のPRB#16をデータリソースとしてもよい。
【０１０９】
こうすることにより、リソースの無駄を防止できる。
【０１１０】
［２］実施の形態２のマッピングリソース決定ルール及びマッピングリソース特定ルールでは、UL grant及びDL grantがマッピングされるアンテナポートと異なるアンテナポートの割り当て対象RBGにおいては、そのRBGを構成する全てのPRBがデータリソースとされた（図１２参照）。これに対して、UL grant及びDL grantがマッピングされるアンテナポートと異なるアンテナポートの割り当て対象RBGにおいてデータリソースされるPRBと、UL grant及びDL grantがマッピングされるアンテナポートの割り当て対象RBGにおいてデータリソースとされるPRBとが一致する、マッピングリソース決定ルール及びマッピングリソース特定ルールが採用されてもよい。
【０１１１】
［３］実施の形態２乃至実施の形態４においては、複数のアンテナポートの内、データリソースの大きさが小さいアンテナポートが存在する。ここで、PDSCHに複数のレイヤが割り当てられた場合、データリソースの大きさが小さい第１のアンテナポートに割り当てられたレイヤのデータについては、データリソースの大きさが大きい第２のアンテナポートと同様にデータを配置した後に、第１のアンテナポートのRBGにおけるデータリソース以外のリソースに対応する部分をパンクチャリングしてもよい。こうすることにより、レイヤ数が２以上の場合に適用される、データリソース領域のリソース量はレイヤ間で等しいとする条件を満たすことができる。また、パンクチャリングすることにより、データリソース領域において制御リソース領域と重なる部分に対応する送信データが実際には送信されないので、受信側の構成を変更する必要がない。
【０１１２】
［４］実施の形態４において、マッピングリソース決定ルール及びマッピングリソース特定ルールでは、アンテナポート番号についての制限が設けられていた。これに対して、符号番号についての制限が設けられるマッピングリソース決定ルール及びマッピングリソース特定ルールが採用されてもよい。
【０１１３】
すなわち、本実施の形態のマッピングリソース決定ルール及びマッピングリソース特定ルールでは、割り当て対象RBGにおいて、DL grantのスクランブリングコード番号は、UL grantのスクランブリングコード番号以下である。
【０１１４】
例えば、スクランブリングコード0とスクランブリングコード1の２つのコードがあるとする。端末が、割り当て対象RBGの或るPRB#nにおいてDL grantをスクランブリングコード1によって検出し、且つ、その検出されたDL grantがその割り当て対象RBGに対してPDSCHを割り当てている場合、その割り当て対象RBG内の複数のPRBの内、PRB#nよりもRB番号が小さいRBにはPDSCHが割り当てられていないとして受信処理をする。また、PRB#nよりもRB番号が大きいRBには、PDSCHが割り当てられているとして受信処理をする。
【０１１５】
また、端末が、割り当て対象RBGの或るPRB#nにおいてDL grantをスクランブリングコード0で検出し、且つ、そのDL grantがその割り当て対象RBGに対してPDSCHを割り当てている場合、その割り当て対象RBG内の複数のPRBの内、PRB#nよりもRB番号が小さいRBにおいては、スクランブリングコード0にはPDSCHが割り当てられていないとし、且つ、スクランブリングコード1にはPDSCHが割り当てられているとして受信処理をする。また、PRB#nよりもRB番号が大きいRBには、PDSCHが割り当てられているとして受信処理をする。
【０１１６】
こうすることにより、UL grantとDL grantとをスクランブリングコードで多重する場合に、UL grantとDL grantとを多重するときにはさらにデータは多重せずに、DL grantのみがあるときにはデータをスクランブリングコードで多重することができる。
【０１１７】
また、端末は、UL grant およびDL grantが同一RBGに割り当てられる場合、または、同一RBGをUL grant およびDL grantのサーチスペースとする場合、DL grantを検出したPRB ペアに基づいて、UL grant の候補位置を限定しても良い。例えば、UL grantとDL grant とを同一RBG内に配置する場合、UL grantをRB番号以下のRB番号のPRBペアに配置すると定めることで、UL grant の検出は、同一RBG内において、DL grant を検出したRB番号より大きいRB番号で検出処理をする必要がなくなり、検出回数を低減することができる。
【０１１８】
つまり、同一のRBGに含まれる複数のＲＥが下り回線割り当て制御信号及び上り回線割り当て制御信号をマッピングする制御リソース領域として設定される場合、下り回線割り当て制御信号をマッピングする制御リソース領域が設定されたＲＢに付された第一番号以下の第二番号に対応するＲＢが、上り回線割り当て制御信号をマッピングする制御リソース領域として設定される。また、下り回線割り当て制御信号及び上り回線割り当て制御信号がマッピングされた制御リソースとして設定された複数のＲＥが同一のＲＢＧに含まれる場合、上り回線割り当て制御信号がマッピングされた制御リソース抽出対象領域は、下り回線割り当て制御信号が検出されたＲＢに付された第一番号以下の第二番号に対応するＲＢとなる。
【０１１９】
［５］上記各実施の形態の説明では、E-PDCCHの配置単位をPRBペアとしているが、PRBペアをさらに分割したサブキャリア単位又は複数サブキャリアを束ねた単位を、E-PDCCHの配置単位としてもよい。この場合、上記各実施の形態におけるマッピングリソース決定ルール及びマッピングリソース特定ルールを、サブキャリア単位又は複数のサブキャリアを束ねた単位に適用してもよい。また、E-PDCCHの配置単位を、サブキャリア単位又はサブキャリアを束ねた単位とした場合であっても、データ割当の最小単位を、PRBペアとしてもよい。つまり、DL grantを検出したサブキャリアを含むPRBペアを、上記各実施の形態における「DL grantを検出たPRBペア」として、上記各実施の形態のマッピングリソース決定ルール及びマッピングリソース特定ルールを適用する。
【０１２０】
［６］上記各実施の形態では、本発明をハードウェアで構成する場合を例にとって説明したが、本発明はハードウェアとの連携においてソフトウェアでも実現することも可能である。
【０１２１】
また、上記各実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１２２】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。
【０１２３】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０１２４】
２０１１年６月２７日出願の特願２０１１−１４１６８３の日本出願に含まれる明細書、図面および要約書の開示内容は、すべて本願に援用される。
【産業上の利用可能性】
【０１２５】
本発明の送信装置、受信装置、送信方法、及び受信方法は、制御信号の検出ミスによるデータリソース領域の誤検出を防止できるものとして有用である。
【符号の説明】
【０１２６】
１００  基地局
１０１  制御部
１０２，２０７  誤り訂正符号化部
１０３，２０８  変調部
１０４，２０９  信号割り当て部
１０５，２１０  送信部
１０６，２０１  受信部
１０７，２０３  復調部
１０８，２０４  誤り訂正復号部
１１１  スケジューリング部
１１２  制御信号生成部
２００  端末
２０２  信号分離部
２０５  制御信号受信部
２０６  リソース特定部
【図２】
0005974002.tif 000002
【図５】
0005974002.tif 000003
【図６】
0005974002.tif 000004
【図７】
0005974002.tif 000005
【図８】
0005974002.tif 000006
【図９】
0005974002.tif 000007
【図１】
0005974002.tif 000008
【図３】
0005974002.tif 000009
【図４】
0005974002.tif 000010
【図１０】
0005974002.tif 000011
【図１１】
0005974002.tif 000012
【図１２】
0005974002.tif 000013
【図１３】
0005974002.tif 000014
【図１４】
0005974002.tif 000015
【図１５】
0005974002.tif 000016
【図１６】
0005974002.tif 000017
【図１７】
0005974002.tif 000018